(57)【要約】【課題】通水状態にある既設のバルブ装置のバルブ操作機を特別な構成を必要とせずに容易に脱着することができるバルブ操作機の脱着方法およびバルブ装置を提供する。【解決手段】弁箱１１内に挿通した弁棒１２の軸心廻りに回動する弁体を有し、弁棒１２を回転駆動するバルブ操作機２０を弁棒１２に装着したバルブ装置において、バルブ操作機２０と弁箱１１の締結を解除し、バルブ操作機２０と弁棒１２との係合状態を維持しつつバルブ操作機２０を弁箱１１からメンテナンス用隙間Ｌだけ離間させ、メンテナンス用隙間Ｌを通して加工具４０で弁棒１２に係合部５１を形成し、弁棒１２の廻り止め用の係止材５２を係合部５１に装着する状態でバルブ操作機２０を脱着させる。【選択図】図１
2018100764.tif 000002
【特許請求の範囲】
【請求項１】
弁箱内に挿通した弁棒の軸心廻りに回動する弁体を有し、弁棒を回転駆動するバルブ操作機を弁棒に装着したバルブ装置において、バルブ操作機と弁箱の締結を解除し、バルブ操作機と弁棒との係合状態を維持しつつバルブ操作機を弁箱からメンテナンス用隙間だけ離間させ、メンテナンス用隙間を通して加工具で弁棒に係合部を形成し、弁棒の廻り止め用の係止材を係合部に装着する状態でバルブ操作機を脱着させることを特徴とするバルブ操作機の脱着方法。
【請求項２】
バルブ操作機は、弁箱の弁箱フランジに設けた締結ボルトの軸心方向に沿って弁箱から離間し、係止材は一端側が弁棒の係合部に弁棒の軸心廻りで回動不能に係合し、他端側が締結ボルトにより弁棒の軸心廻りで係止されることを特徴とする請求項１に記載のバルブ操作機の脱着方法。
【請求項３】
弁箱内に挿通した弁棒の軸心廻りに回動する弁体を有し、弁棒を回転駆動するバルブ操作機を弁体に装着したバルブ装置において、
弁箱は、弁箱フランジにバルブ操作機と弁箱とを結合離間可能に締結する締結ボルトを有し、
弁棒は、弁棒の廻り止め用の係止材と係合する係合部を形成するためのマーキング部を有し、
マーキング部は、バルブ操作機と弁棒との係合状態を維持しつつバルブ操作機を弁箱から締結ボルトの軸心方向に沿ってメンテナンス用隙間だけ離間させた状態において、メンテナンス用隙間において露出することを特徴とするバルブ装置。
【請求項４】
弁箱内に挿通した弁棒の軸心廻りに回動する弁体を有し、弁棒を回転駆動するバルブ操作機を弁体に装着したバルブ装置において、
弁箱は、弁箱フランジにバルブ操作機と弁箱とを結合離間可能に締結する締結ボルトを有し、
弁棒は、弁棒の廻り止め用の係止材と係合する係合部を有し、
係合部は、バルブ操作機と弁棒との係合状態を維持しつつバルブ操作機を弁箱から締結ボルトの軸心方向に沿ってメンテナンス用隙間だけ離間させた状態において、メンテナンス用隙間に挿通した係止材と係合することを特徴とするバルブ装置。
【発明の詳細な説明】
【技術分野】
【０００１】
本発明は、バルブ操作機の脱着方法およびバルブ装置に関し、通水状態で弁棒を廻り止めする技術に係るものである。
【背景技術】
【０００２】
従来、例えば特許文献１に記載するものは、既設弁の補修方法に関し、軸封部からの漏水が発生した場合に通水状態で補修して漏水を止めるものである。この方法は、操作機を弁棒の先端部から取り外して弁棒の先端部を露出させ、弁棒の先端部に補修用止水部材を外嵌し、操作機を弁棒先端部に取付けて、軸封部を通過する漏水を補修用止水部材で止水するものである。
【先行技術文献】
【特許文献】
【０００３】
【特許文献１】特開２０１６−８４８２５
【発明の概要】
【発明が解決しようとする課題】
【０００４】
上記方法は、以下の構成を前提としている。すなわち、弁棒の上部に直径方向に貫通する貫通孔を形成し、弁箱のフランジ部と操作機のフランジ部との間に、弁棒を軸心廻りで回動不能に固定する固定部材を設けている。固定部材には直径方向に固定孔を形成し、固定孔と貫通孔とが直線上にある状態で固定用棒を挿通して廻り止めする。
【０００５】
この方法は固定部材を弁箱のフランジ部と操作機のフランジ部との間に介装する必要があり、予め固定部材が装着されていないバルブ装置では実施が困難である。
【０００６】
本発明は上記した課題を解決するものであり、通水状態にある既設のバルブ装置のバルブ操作機を特別な構成を必要とせずに容易に脱着することができるバルブ操作機の脱着方法およびバルブ装置を提供することを目的とする。
【課題を解決するための手段】
【０００７】
上記課題を解決するために、本発明のバルブ操作機の脱着方法は、弁箱内に挿通した弁棒の軸心廻りに回動する弁体を有し、弁棒を回転駆動するバルブ操作機を弁棒に装着したバルブ装置において、バルブ操作機と弁箱の締結を解除し、バルブ操作機と弁棒との係合状態を維持しつつバルブ操作機を弁箱からメンテナンス用隙間だけ離間させ、メンテナンス用隙間を通して加工具で弁棒に係合部を形成し、弁棒の廻り止め用の係止材を係合部に装着する状態でバルブ操作機を脱着させることを特徴とする。
【０００８】
本発明のバルブ操作機の脱着方法において、バルブ操作機は、弁箱の弁箱フランジに設けた締結ボルトの軸心方向に沿って弁箱から離間し、係止材は一端側が弁棒の係合部に弁棒の軸心廻りで回動不能に係合し、他端側が締結ボルトにより弁棒の軸心廻りで係止されることを特徴とする。
【０００９】
本発明のバルブ装置は、弁箱内に挿通した弁棒の軸心廻りに回動する弁体を有し、弁棒を回転駆動するバルブ操作機を弁体に装着したバルブ装置において、弁箱は、弁箱フランジにバルブ操作機と弁箱とを結合離間可能に締結する締結ボルトを有し、弁棒は、弁棒の廻り止め用の係止材と係合する係合部を形成するためのマーキング部を有し、マーキング部は、バルブ操作機と弁棒との係合状態を維持しつつバルブ操作機を弁箱から締結ボルトの軸心方向に沿ってメンテナンス用隙間だけ離間させた状態において、メンテナンス用隙間において露出することを特徴とする。
【００１０】
本発明のバルブ装置は、弁箱内に挿通した弁棒の軸心廻りに回動する弁体を有し、弁棒を回転駆動するバルブ操作機を弁体に装着したバルブ装置において、弁箱は、弁箱フランジにバルブ操作機と弁箱とを結合離間可能に締結する締結ボルトを有し、弁棒は、弁棒の廻り止め用の係止材と係合する係合部を有し、係合部は、バルブ操作機と弁棒との係合状態を維持しつつバルブ操作機を弁箱から締結ボルトの軸心方向に沿ってメンテナンス用隙間だけ離間させた状態において、メンテナンス用隙間に挿通した係止材と係合することを特徴とする。
【図面の簡単な説明】
【００１１】
【図１】本発明の実施の形態におけるバルブ装置を示す一部断面図
【図２】同バルブ装置のバルブ操作機を弁箱からメンテナンス用隙間だけ離間させた一部断面図
【図３】同バルブ装置の弁棒にメンテナンス用隙間を通して加工する状態を示す一部断面図
【図４】スプライン外れ防止治具を示し、（ａ）は正面図、（ｂ）は側面図
【図５】同バルブ操作機を省略した平面図
【図６】同バルブ装置の弁棒を示す正面図
【図７】本発明の他の実施の形態におけるバルブ操作機を省略した平面図
【図８】本発明の他の実施の形態におけるバルブ操作機を省略した平面図
【図９】本発明の他の実施の形態におけるバルブ操作機を省略した平面図
【図１０】同実施の形態におけるバルブ操作機を省略した斜視図
【発明を実施するための形態】
【００１２】
以下、本発明の実施の形態を図面に基づいて説明する。図１から図３において、バルブ装置１０はバタフライ弁、ボール弁等々の回転弁である。
【００１３】
バルブ装置１０は弁箱１１の内部に挿通した弁棒１２を有しており、弁棒１２は弁箱１１の内部に配置した弁体（図示省略）に接合し、頭部側が弁箱１１の外部に突出している。図６に示すように、弁棒１２は頭部にスプライン１３を備えている。弁箱１１にはバルブ操作機２０を装着しており、バルブ操作機２０は弁棒１２を回転駆動して弁体を弁棒１２の軸心廻りに回動させる。バルブ操作機２０は弁箱フランジ１４に対応する操作機フランジ２１を有しており、操作機フランジ２１に形成したボルト孔２２が弁箱フランジ１４に取り付けた締結ボルト１５に対応する。そして、締結ボルト１５に螺合するナット１６を締め付けて弁箱フランジ１４と操作機フランジ２１とを結合離間可能に締結している。ここでは、締結ボルト１５として埋め込みボルトを使用するが、六角ボルトを使用することも可能である。
【００１４】
バルブ操作機２０は、その内部に入力軸２３と出力軸２４および入力軸２３と出力軸２４の間に配置した減速用歯車機構２５を備えており、入力軸２３に操作キャップ２６を装着し、出力軸２４を弁棒１２に装着している。出力軸２４は弁棒１２の頭部に嵌合するスプライン穴２７を有し、このスプライン穴２７で弁棒１２のスプライン１３に噛合し、スプライン穴２７とスプライン１３は弁棒１２の軸心方向のスプライン長に亘って噛合している。本実施の形態では、弁棒１２と出力軸２４とをスプライン接合させたが、キー接合を用いることも可能である。
【００１５】
以下にバルブ操作機２０の脱着方法を説明する。
【００１６】
図１に示すように、バルブ装置１０を全開もしくは所定開度の通水状態に維持しつつ、ナット１６を緩めて締結ボルト１５から取り外し、弁箱フランジ１４と操作機フランジ２１との締結を解除し、バルブ操作機２０を弁箱１１から離間可能な状態とする。そして、図４に示すスプライン外れ防止治具３０をバルブ装置１０およびバルブ操作機２０に装着する。図５はスプライン外れ防止治具３０を装着した状態を示しており、ここではバルブ操作機２０を省略して示している。
【００１７】
スプライン外れ防止治具３０は、内側に凹部３１を有し、凹部３１が弁箱フランジ１４および操作機フランジ２１の外周縁に倣った円弧状をなし、凹部３１において弁箱フランジ１４および操作機フランジ２１に外嵌し、操作機フランジ２１が弁棒１２の軸心方向へメンテナンス用隙間Ｌに相当する一定距離だけ移動することを許容する。
【００１８】
次に、図２に示すように、スプライン穴２７とスプライン１３との係合状態を維持して弁棒１２および弁体の回動を防止しつつバルブ操作機２０を締結ボルト１５の軸心方向に沿って弁箱１１からメンテナンス用隙間Ｌだけ離間させる。このとき、スプライン外れ防止治具３０がバルブ操作機２０の過剰な引き抜きを防止する。バルブ操作機２０は人的作業によって引き上げても良く、揚重機等を使用して行ってもよく、メンテナンス用隙間Ｌだけ離間させた後に、弁箱フランジ１４および操作機フランジ２１との間に間隙保持材（図示省略）を挿入してもよい。
【００１９】
この状態で、図３に示すように、バルブ装置１０の外側からメンテナンス用隙間Ｌを通して切削加工用の加工具４０、ここでは長尺ドリルを弁棒１２に向けて挿入し、加工具４０で弁棒１２に係合部５１としての有底穴６１を穿つ（図５参照）。
【００２０】
次に、図５に示すように、弁棒１２の廻り止め用の係止材５２として係止ピン６２を、バルブ装置１０の外側からメンテナンス用隙間Ｌを通して挿入し、係止ピン６２の一端側を弁棒１２の係合部５１の有底穴６１に弁棒１２の軸心廻りで回動不能に係合させ、係止ピン６２の他端側を締結ボルト１５により弁棒１２の軸心廻りで係止する。このとき、必要に応じて締結ボルト１５と係止ピン６２の間に隙間調整用にシム６３を挿入する。ここでは、係止ピン６２を締結ボルト１５で係止したが、人的作業によって係止ピン６２を係止することも可能であり、あるいは締結ボルト１５に代えて装置外の固定物で支持することも可能である。
【００２１】
そして、係止ピン６２で弁棒１２を廻り止めした状態でバルブ操作機２０を脱着する。すなわち、バルブ操作機２０を弁箱１１から取り外し、メンテナンス作業後に戻すか、あるいは新しいバルブ操作機２０を装着する。
【００２２】
本実施の形態では、既設のバルブ装置１０の弁棒１２に係合部５１を形成したが、バルブ装置１０を新設する際に、予め弁棒１２に係合部５１を形成しておくことも可能であり、係合部５１に代えて係合部５１を形成するためのマーキング部、例えばポンチ穴を形成することも可能である。
【００２３】
また、図７に示すように、係合部５１としては貫通孔６４を形成することも可能であり、貫通孔６４を貫通させて係止ピン６２を配置することで、係止ピン６２を二つの締結ボルト１５で安定した両端支持状態に保持することができる。
【００２４】
さらに、図８に示すように、シム６３に代えてピン保持具６５を配置することも可能である。ピン保持具６５は締結ボルト１５の間に配置し、弁棒１２の軸心廻りにおいて締結ボルト１５で廻り止めされている。ピン保持具６２は弁棒１２の軸心廻りに沿った複数個所にピン保持用の溝もしくは穴６６を有しており、任意のピン保持用の溝もしくは穴６６で係止ピン６２を保持でき、係止ピン６２により弁体開度に応じた位置で弁棒１２を廻り止めすることができる。
【００２５】
また、図９および図１０に示すように、係合部５１として、弁棒１２の両側に切り込み溝６７を形成し、切り込み溝６７に二股の係止ピン６８を挿入して弁棒１２を軸心廻りで係止することも可能である。
【符号の説明】
【００２６】
１０    バルブ装置
１１    弁箱
１２    弁棒
１３    スプライン
１４    弁箱フランジ
１５    締結ボルト
１６    ナット
２０    バルブ操作機
２１    操作機フランジ
２２    ボルト孔
２３    入力軸
２４    出力軸
２５    減速用歯車機構
２６    操作キャップ
２７    スプライン穴
３０    スプライン外れ防止治具
３１    凹部
４０    加工具
５１    係合部
５２    係止材
６１    有底穴
６２    係止ピン
６３    シム
６４    貫通孔
６５    ピン保持具
６６    ピン保持の溝もしくは穴
６７    切り込み溝
６８    二股の係止ピン
Ｌ    メンテナンス用隙間
【図１】
2018100764.tif 000003
【図２】
2018100764.tif 000004
【図３】
2018100764.tif 000005
【図４】
2018100764.tif 000006
【図５】
2018100764.tif 000007
【図６】
2018100764.tif 000008
【図７】
2018100764.tif 000009
【図８】
2018100764.tif 000010
【図９】
2018100764.tif 000011
【図１０】
2018100764.tif 000012